(57)【要約】      （修正有）【課題】ヘッドチップと配線基板との位置決めが容易で位置精度が高いインクジェットヘッドの提供。【解決手段】圧電素子からなる駆動壁１１とチャネル１２とが交互に並設されると共に前面及び後面にそれぞれチャネル１２の出口と入口とが配置され、前記チャネル１２内面に形成された駆動電極と電気的に接続する接続電極が後面に形成されてなるヘッドチップ１と、前記ヘッドチップ１の後面に接合され、前記接続電極と電気的に接続される配線電極３３が配列されてなる配線基板３とを有するインクジェットヘッドにおいて、前記配線基板３の表面に、該配線基板３に接合された前記ヘッドチップ１の側壁面１Ａの少なくとも一部に当接するように、樹脂の突起３６ａ、３６ｂ、３６ｃが形成されていることを特徴とするインクジェットヘッド。【選択図】図１
2008162110.tif 000002
【特許請求の範囲】
【請求項１】
圧電素子からなる駆動壁とチャネルとが交互に並設されると共に前面及び後面にそれぞれチャネルの出口と入口とが配置され、前記チャネルの内面に形成された駆動電極と電気的に接続する接続電極が後面に形成されてなるヘッドチップと、前記ヘッドチップの後面に接合され、前記接続電極と電気的に接続される配線電極が配列されてなる配線基板とを有するインクジェットヘッドにおいて、
前記配線基板の表面に、該配線基板に接合された前記ヘッドチップの側壁面の少なくとも一部に当接するように、樹脂の突起が形成されていることを特徴とするインクジェットヘッド。
【請求項２】
前記樹脂の突起は、前記ヘッドチップの側壁面のうちの隣接する２面に対して少なくとも３個配置されていることを特徴とする請求項１記載のインクジェットヘッド。
【請求項３】
前記樹脂は、感光性樹脂であることを特徴とする請求項１又は２記載のインクジェットヘッド。
【請求項４】
前記感光性樹脂は、ＵＶ硬化樹脂であることを特徴とする請求項３記載のインクジェットヘッド。
【請求項５】
前記感光性樹脂は、ドライフィルムであることを特徴とする請求項３記載のインクジェットヘッド。
【請求項６】
前記配線基板の材質は、パイレックス（登録商標）ガラスまたはテンパックスガラスであることを特徴とする請求項１〜５のいずれかに記載のインクジェットヘッド。
【請求項７】
前記ヘッドチップは、前記側壁面の一部に形成されたダミーチャネルの凹部を有し、該ダミーチャネルの凹部に当接するように、前記樹脂の突起が形成されていることを特徴とする請求項１〜６のいずれかに記載のインクジェットヘッド。
【請求項８】
圧電素子からなる駆動壁とチャネルとが交互に並設されると共に前面及び後面にそれぞれチャネルの出口と入口とが配置され、前記チャネルの内面に形成された駆動電極と電気的に接続する接続電極が後面に形成されてなるヘッドチップと、前記ヘッドチップの後面に接着剤を用いて接合され、前記接続電極と電気的に接続される配線電極が配列されてなる配線基板とを有するインクジェットヘッドの製造方法において、
前記配線基板の表面に樹脂の突起を形成し、前記ヘッドチップの側壁面の少なくとも一部を前記樹脂の突起に向けて押し付けて該ヘッドチップを前記樹脂の突起に突き当てることにより、前記ヘッドチップを前記配線基板の表面に対して所定位置に位置決めすることを特徴とするインクジェットヘッドの製造方法。
【請求項９】
前記樹脂の突起を、感光性樹脂のパターニングにより形成することを特徴とする請求項８記載のインクジェットヘッドの製造方法。
【請求項１０】
前記感光性樹脂はＵＶ硬化樹脂であり、前記樹脂の突起を、ＵＶ硬化樹脂の塗布液をインクジェット塗布によって塗布することにより形成することを特徴とする請求項９記載のインクジェットヘッドの製造方法。
【請求項１１】
前記感光性樹脂はドライフィルムであり、前記樹脂の突起を、前記ドライフィルムを前記配線基板に貼り付けた後、露光、現像することにより形成することを特徴とする請求項９記載のインクジェットヘッドの製造方法。
【請求項１２】
前記樹脂の突起を、パイレックス（登録商標）ガラスまたはテンパックスガラスからなる前記配線基板に突起形成用のパターンを形成しておき、該突起形成用のパターンの形成面にドライフィルムを貼り付けた後、該ドライフィルムを貼り付けた面の反対側から、該突起形成用のパターンをマスクとして露光、現像することにより形成することを特徴とする請求項１１記載のインクジェットヘッドの製造方法。
【請求項１３】
前記突起形成用のパターンは、ダミー電極であり、前記配線電極と前記ダミー電極とを、マスクを用いて金属被膜を選択的に形成することによって、同時に形成することを特徴とする請求項１２記載のインクジェットヘッドの製造方法。
【請求項１４】
前記ヘッドチップは、前記側壁面の一部に形成されたダミーチャネルの凹部を有し、該ダミーチャネルの凹部を前記樹脂の突起に向けて押し付けて該ヘッドチップを前記樹脂の突起に突き当てることにより、前記ヘッドチップを前記配線基板の表面に対して所定位置に位置決めするものであり、
前記チャネルとなる溝と前記ダミーチャネルとなる溝とを同時に形成することを特徴とする請求項８〜１３のいずれかに記載のインクジェットヘッドの製造方法。
【発明の詳細な説明】
【技術分野】
【０００１】
本発明はインクジェットヘッドおよびインクジェットヘッドの製造方法に関する。
【背景技術】
【０００２】
従来、圧電基板にチャネルを研削して、該チャネルを区画する駆動壁に駆動電極を形成し、該駆動電極に電圧を印加することにより該駆動壁をくの字状にせん断変形させてチャネル内のインクをノズルから吐出させるようにしたせん断モード型のインクジェットヘッドが知られている。その中でも、インクを吐出させるためのアクチュエータを、圧電素子からなる駆動壁と圧力室であるチャネルとが交互に多数並設されると共にチャネル入口、出口及びノズルが直線状に配置されたハーモニカタイプのヘッドチップにより構成することで、１枚のウェハーからの取り数が多く、極めて生産性が高く、また、チャネルが入口から出口にかけてストレートとなるため、泡抜けが良く、駆動電圧が低く、発熱が少なく、高速応答性に優れる等の多くの利点を有しているインクジェットヘッドが知られている。
【０００３】
このようなハーモニカタイプのヘッドチップは、駆動電極に駆動電圧を印加するための配線を接続することが難しく、通常、各駆動電極と電気的に接続する接続電極をヘッドチップの外面まで引き出し、ヘッドチップの外面において配線を接続することが行われている。
【０００４】
このため、本出願人は、基板表面にヘッドチップの接続電極と電気的に接続させるための配線電極が配列され、ヘッドチップの後面よりもチャネル列方向と直交する方向に張り出す程度の大きさを有する配線基板を用意し、この配線基板をヘッドチップの後面に対して接着剤を用いて接合することにより、ヘッドチップから張り出した端部を利用してＦＰＣ等との接続を容易に行えるようにした技術を提案している（特許文献１）。
【０００５】
このようなハーモニカタイプのヘッドチップを配線基板に接合する際は、ヘッドチップの接続電極と配線基板の配線電極とを正確に位置合わせする必要がある。
【０００６】
従来、電子部品同士の位置合わせ技術として、位置決めマークを頼りに、顕微鏡やＣＣＤ等の観察系を用いて行う方法（特許文献２）や、接合部品の相互に凹凸を設けて互いに嵌合させて行う方法（特許文献３）が知られている。
【特許文献１】特開２００６−８２３９６号公報
【特許文献２】特開２００３−３０５８５１号公報
【特許文献３】特開平１１−２０４９１３号公報
【発明の開示】
【発明が解決しようとする課題】
【０００７】
しかし、特許文献２に記載の方法では、位置決めのために複数の点を観察する必要があり、位置決め作業に時間がかかり、また、ハンドリング時において、せっかく調整した位置がずれてしまう等の問題がある。
【０００８】
また、特許文献３に記載の方法では、嵌合させるために複雑な形状の凹凸を形成する必要がある上に、インクジェットヘッドのような微細な配線パターンが要求される技術分野では、電気的なショートが懸念され困難である。
【０００９】
そこで、本発明は、ヘッドチップと配線基板との位置精度が高く確保されたインクジェットヘッドを提供することを課題とする。
【００１０】
また、本発明は、ヘッドチップと配線基板との位置決めを容易且つ確実に行うことのできるインクジェットヘッドの製造方法を提供することを課題とする。
【課題を解決するための手段】
【００１１】
上記課題は、以下の各構成によって解決される。
１．
圧電素子からなる駆動壁とチャネルとが交互に並設されると共に前面及び後面にそれぞれチャネルの出口と入口とが配置され、前記チャネルの内面に形成された駆動電極と電気的に接続する接続電極が後面に形成されてなるヘッドチップと、前記ヘッドチップの後面に接合され、前記接続電極と電気的に接続される配線電極が配列されてなる配線基板とを有するインクジェットヘッドにおいて、
前記配線基板の表面に、該配線基板に接合された前記ヘッドチップの側壁面の少なくとも一部に当接するように、樹脂の突起が形成されていることを特徴とするインクジェットヘッド。
２．
前記樹脂の突起は、前記ヘッドチップの側壁面のうちの隣接する２面に対して少なくとも３個配置されていることを特徴とする前記１記載のインクジェットヘッド。
３．
前記樹脂は、感光性樹脂であることを特徴とする前記１又は２記載のインクジェットヘッド。
４．
前記感光性樹脂は、ＵＶ硬化樹脂であることを特徴とする前記３記載のインクジェットヘッド。
５．
前記感光性樹脂は、ドライフィルムであることを特徴とする前記３記載のインクジェットヘッド。
６．
前記配線基板の材質は、パイレックス（登録商標）ガラスまたはテンパックスガラスであることを特徴とする前記１〜５のいずれかに記載のインクジェットヘッド。
７．
前記ヘッドチップは、前記側壁面の一部に形成されたダミーチャネルの凹部を有し、該ダミーチャネルの凹部に当接するように、前記樹脂の突起が形成されていることを特徴とする前記１〜６のいずれかに記載のインクジェットヘッド。
８．
圧電素子からなる駆動壁とチャネルとが交互に並設されると共に前面及び後面にそれぞれチャネルの出口と入口とが配置され、前記チャネルの内面に形成された駆動電極と電気的に接続する接続電極が後面に形成されてなるヘッドチップと、前記ヘッドチップの後面に接着剤を用いて接合され、前記接続電極と電気的に接続される配線電極が配列されてなる配線基板とを有するインクジェットヘッドの製造方法において、
前記配線基板の表面に樹脂の突起を形成し、前記ヘッドチップの側壁面の少なくとも一部を前記樹脂の突起に向けて押し付けて該ヘッドチップを前記樹脂の突起に突き当てることにより、前記ヘッドチップを前記配線基板の表面に対して所定位置に位置決めすることを特徴とするインクジェットヘッドの製造方法。
９．
前記樹脂の突起を、感光性樹脂のパターニングにより形成することを特徴とする前記８記載のインクジェットヘッドの製造方法。
１０．
前記感光性樹脂はＵＶ硬化樹脂であり、前記樹脂の突起を、ＵＶ硬化樹脂の塗布液をインクジェット塗布によって塗布することにより形成することを特徴とする前記９記載のインクジェットヘッドの製造方法。
１１．
前記感光性樹脂はドライフィルムであり、前記樹脂の突起を、前記ドライフィルムを前記配線基板に貼り付けた後、露光、現像することにより形成することを特徴とする前記９記載のインクジェットヘッドの製造方法。
１２．
前記樹脂の突起を、パイレックス（登録商標）ガラスまたはテンパックスガラスからなる前記配線基板に突起形成用のパターンを形成しておき、該突起形成用のパターンの形成面にドライフィルムを貼り付けた後、該ドライフィルムを貼り付けた面の反対側から、該突起形成用のパターンをマスクとして露光、現像することにより形成することを特徴とする前記１１記載のインクジェットヘッドの製造方法。
１３．
前記突起形成用のパターンは、ダミー電極であり、前記配線電極と前記ダミー電極とを、マスクを用いて金属被膜を選択的に形成することによって、同時に形成することを特徴とする前記１２記載のインクジェットヘッドの製造方法。
１４．
前記ヘッドチップは、前記側壁面の一部に形成されたダミーチャネルの凹部を有し、該ダミーチャネルの凹部を前記樹脂の突起に向けて押し付けて該ヘッドチップを前記樹脂の突起に突き当てることにより、前記ヘッドチップを前記配線基板の表面に対して所定位置に位置決めするものであり、
前記チャネルとなる溝と前記ダミーチャネルとなる溝とを同時に形成することを特徴とする前記８〜１３のいずれかに記載のインクジェットヘッドの製造方法。
【発明の効果】
【００１２】
本発明によれば、ヘッドチップと配線基板との位置精度が高く確保されたインクジェットヘッドを提供することができる。
【００１３】
また、本発明によれば、ヘッドチップと配線基板との位置決めを容易且つ確実に行うことのできるインクジェットヘッドの製造方法を提供することができる。
【発明を実施するための最良の形態】
【００１４】
以下、本発明の実施の形態を図面を用いて詳細に説明する。
【００１５】
図１はインクジェットヘッドの分解斜視図、図２はヘッドチップの後面を示す背面図、図１１はヘッドチップの製造方法を説明する図である。
【００１６】
図１において、１はヘッドチップ、２はヘッドチップ１の前面に接合されるノズルプレート、３はヘッドチップ１の後面に接合される配線基板である。
【００１７】
なお、本明細書においては、ハーモニカタイプで言うところの、ヘッドチップ１のノズル側に当たるインクが吐出される側の面を「前面」といい、その反対側の面を「後面」という。また、ヘッドチップにおいて並設されるチャネルを挟んで図２の図示上下に位置する外側面及び図示左右に位置する外側面を「側壁面」という。
【００１８】
ヘッドチップ１は、圧電素子からなる駆動壁１１とチャネル１２とが交互に並設されている。チャネル１２の形状は、両側壁が互いに平行に形成されている。ヘッドチップ１の前面及び後面にそれぞれ各チャネル１２の出口と入口とが配置されると共に、各チャネル１２は入口から出口に亘る長さ方向で大きさと形状がほぼ変わらないストレートタイプである。
【００１９】
このヘッドチップ１において、各チャネル１２は２列となるチャネル列を有している。各チャネル列はそれぞれ８個のチャネル１２からなるが、ヘッドチップ１中のチャネル列を構成するチャネル１２の数は何ら限定されない。
【００２０】
図１１を用いて、このヘッドチップ１の製造方法について説明すると、まず、１枚の基板１２０上に、２枚の圧電素子基板１１ａ、１１ｂをそれぞれエポキシ系接着剤を用いて接合する。各圧電素子基板１１ａ、１１ｂに用いられる圧電素子材料としては、電圧を加えることにより変形を生じる公知の圧電素子材料を用いることができるが、特にチタン酸ジルコン酸鉛（ＰＺＴ）が好ましい。２枚の圧電素子基板１１ａ、１１ｂは互いに分極方向（矢印Ｐで示す）を反対方向に向けて積層し、基板１２０に接着剤を用いて接着する。
【００２１】
次いで、図１１（ａ）に示すように、その２枚の圧電素子基板１１ａ、１１ｂに亘って、ダイシングブレードＫを用いてチャネルとなる複数の平行な溝１２’を研削する。これにより、基板１２０上に高さ方向で分極方向が反対となる圧電素子からなる駆動壁１１を並設する。各溝１２’は圧電素子基板１１ａ、１１ｂの一方の端から他方の端に亘ってほぼ同じ一定の深さで研削することで、長さ方向で大きさと形状がほぼ変わらないストレート状のチャネル１２となる。２枚の圧電素子基板１１ａ、１１ｂは分極方向が反対に向いているので、この圧電素子基板１１ａ、１１ｂによって形成される駆動壁１１全体が効率良く、大きな変形量でせん断変形するため、チャネル１２内のインクに高い圧力を付与することができ、低電圧で駆動でき、また、インクの着弾ずれを抑えて画質の向上を図ることができる。
【００２２】
また、後述する図１０の実施形態に用いるヘッドチップには、チャネル１２となる溝１２’を研削する際に、ダミーチャネル１２Ｄとなる溝１２Ｄ’を研削する。その２枚の圧電素子基板１１ａ、１１ｂに亘って、１つの共通のダイシングブレードＫを用いてチャネル１２となる複数の平行な溝１２’とダミーチャネル１２Ｄとなる溝１２Ｄ’を同時に研削する。このように、１つの共通のダイシングブレードで同時にチャネルとダミーチャネルの溝形成を行うことにより、溝の加工位置精度を高めることが出来る。ひいては、後述するダミーチャネルの溝１２Ｄ’を切断して形成された位置決め用のダミーチャネルの凹部１２Ｄの位置精度を高めることができる。
【００２３】
ここで、本明細書において、チャネルとなる溝とダミーチャネルとなる溝を同時に形成するということは、間に他の工程を介さずに各溝を形成することを意味する。
【００２４】
また、図示しないが、基板１２０を用いる代わりに圧電素子基板１１ｂを厚手のものとし、薄手の圧電素子基板１１ａ側から厚手の圧電素子基板１１ｂの中途部にまで至る複数の平行な溝を研削することにより、高さ方向で分極方向が反対となる駆動壁１１の形成と同時に基板１２０の部分が圧電素子基板１１ｂによって一体に形成されるようにしてもよい。
【００２５】
次いで、このようにして形成した各チャネル１２の内面に駆動電極１３を形成する。駆動電極１３を形成する金属は、Ｎｉ、Ｃｏ、Ｃｕ、Ａｌ等があり、電気抵抗の面からはＡｌやＣｕを用いることが好ましい。また、腐食や強度、コストの面からＮｉも好ましく用いられる。また、ＣｕあるいはＮｉ等の下地金属の上に更にＡｕを積層した積層構造としてもよい。
【００２６】
駆動電極１３の形成は、蒸着法、スパッタリング法、めっき法、ＣＶＤ（化学気相反応法）等の真空装置を用いた方法等によって金属被膜を形成する方法が挙げられるが、めっき法によるものが好ましく、特に無電解めっきにより形成することが好ましい。無電解めっきによれば、均一且つピンホールフリーの金属被膜を形成することができる。めっき膜の厚みは０．５〜５μｍの範囲が好ましい。
【００２７】
駆動電極１３はチャネル１２毎に独立させる必要があるため、駆動壁１１の上面には金属被膜が形成されないようにすることが好ましい。このため、例えば各駆動壁１１の上面に予めドライフィルムを貼着したり、レジストを形成しておき、金属被膜を形成した後に除去することで、各駆動壁１１の側面及び各チャネル１２の底面に選択的に駆動電極１５３を形成するとよい。
【００２８】
このようにして駆動電極１３を形成した後、駆動壁１１の上面に基板１１０をエポキシ系接着剤を用いて接合する。基板１１０及び１２０には、駆動壁１１を構成する圧電材料と同一の基板材料を脱分極して用いると、駆動時の熱の影響による熱膨張係数の差に起因する反りや変形を少なくすることができる。
【００２９】
次に、このようにして形成されたチャネル基板を２つ用いて、各基板１１０同士を重ね合わせ、接着剤を用いて接合し、チャネル１２が２列となるヘッド基板１００を形成する。
【００３０】
次に、図１１（ｂ）に示すように、これら基板１１０、圧電素子基板１１ａ、１１ｂ及び基板１２０を接合してなるヘッド基板１００を、チャンネル１２に平行なカットライン１０７に沿って、ダイシングブレードＫにより切断する。続いて、ヘッド基板１００を９０°回転させ、チャネル１２の長さ方向と直交する方向に沿う複数のカットライン１０６、１０６・・・に沿ってダイシングブレードＫにより切断することにより、チャネル１２が２列となるハーモニカタイプの複数のヘッドチップ１、１・・・を一度に製造する。カットライン１０６、１０６・・・は、それによって作製されるヘッドチップ１、１・・・のチャネル１２の駆動長さ（Ｌ長）を決定するものであり、この駆動長に応じて適宜決定される。
【００３１】
なお、後述する図１０の実施形態に用いるヘッドチップ１では、カットライン１０７をダミーチャネルの溝１２Ｄ’に対応する位置に設け、切断によりダミーチャネル１２Ｄのチャネル内面を露出させて、図１０に示すダミーチャネルの凹部１２Ｄを形成する。
【００３２】
次いで、このようにして作成された各ヘッドチップ１の後面に、駆動電極１３のうちのチャネル１２の底面に形成された部分（チャネル１３内に臨む基板１２０の表面）から基板１２０の後端面にかけて接続電極１４を引き出し形成する。
【００３３】
この接続電極１４は、ヘッドチップ１の切断面の一面（後面）に、駆動電極１３のうちのチャネル１２の底面に形成された部分を少なくとも含み、基板１２０の端面にかけて開設された開口部を有する感光性ドライフィルムを貼着し、Ａｌ等の電極形成用の金属を蒸着して、開口部内に金属被膜を生成することによって形成することができる。また、Ａｌの金属被膜の上に更にＡｕを蒸着する等の方法によって積層構造としてもよい。更に、接続電極１４の形成は、蒸着に代えてスパッタリングによって行うようにしてもよい。なお、開口部は、感光性ドライフィルムの現像工程・水洗工程での作業性を考え、チャネル１２の全面において開口していることが望ましい。全面において開口していることにより、チャネル１２内の現像液、洗浄水の除去が容易となる。
【００３４】
この後、感光性ドライフィルムを除去すると、図２に示すように、ヘッドチップ１の一面（後面）に、各チャネル１２から駆動電極１３と電気的に接続する接続電極１４がチャネル１２毎に独立して引き出される。この接続電極１４はヘッドチップ１の後面部分のみを使用すればよいため、複数回の角部を経由する場合に比べて断線による危険性は少なくて済む。
【００３５】
ノズルプレート２は、ヘッドチップ１の各チャネル１２の出口に対応する位置にそれぞれノズル２１が開設されており、接続電極１４が形成されたヘッドチップ１の前面にエポキシ系接着剤を用いて接合される。従って、各チャネル１２の入口、出口及びノズル２１が直線状に配置される。
【００３６】
以上が、ヘッドチップ１の製造方法の説明である。
【００３７】
次に、図１に戻って、配線基板３は、ヘッドチップ１の各駆動電極１３に図示しない駆動回路からの駆動電圧を印加する配線を接続するための板状の部材である。この配線基板３に用いられる基板には、非分極のＰＺＴやＡｌＮ−ＢＮ、ＡｌＮ等のセラミックス材料からなる基板、低熱膨張のプラスチックやガラスからなる基板、ヘッドチップ１に使用されている圧電素子の基板材料と同一の基板材料を脱分極した基板等を用いることができる。好ましくは、熱膨張率の差に起因するヘッドチップ１の歪み等の発生を抑えるため、未分極のＰＺＴを基準にして±３ｐｐｍ以内の熱膨張係数の差を持つ材料を選定することである。また、配線基板３側からの位置合わせの確認を容易にするため、透明であることが好ましい。これらの観点から、配線基板３の材質は、パイレックス（登録商標）ガラスまたはテンパックスガラスであることが特に好ましい。
【００３８】
配線基板３を構成する基板は１枚板状のものに限らず、薄板状の基板材料を複数枚積層して所望の厚みとなるように形成してもよい。
【００３９】
この配線基板３は、ヘッドチップ１の後面よりも大きな面積を有しており、ヘッドチップ１のチャネル１２の並び方向（チャネル列方向）と直交する方向（図中のＢ方向）に延び、ヘッドチップ１からそれぞれ大きく張り出しており、各張り出し端が図示しないＦＰＣ等を接続するための配線接続部３１、３１となっている。また、配線基板３は、ヘッドチップ１のチャネル１２の並び方向（図中のＡ方向）にもそれぞれ大きく張り出している。
【００４０】
配線基板３のほぼ中央部には開口部３２が貫通形成されている。この開口部３２は、ヘッドチップ１の後面に臨む全チャネル１２の入口側を露呈させることができる程度の大きさに形成されている。
【００４１】
開口部３２の形成方法としては、基板材料に応じて、ダイシングソーで加工する方法、超音波加工機で加工する方法、焼結前のセラミックスを型成形し、焼成する方法、サンドブラストにより形成する方法等が採用できる。
【００４２】
配線基板３のヘッドチップ１との接合面側となる表面に、ヘッドチップ１の後面に形成された各接続電極１４と同数及び同ピッチで配線電極３３が形成され、開口部３２の周縁から各配線接続部３１、３１に延び、配線基板３の外縁まで至っている。この配線電極３３は、ＦＰＣ等が接合される際、ＦＰＣ等に形成されている各配線と電気的に接続し、駆動回路からの駆動電圧を接続電極１４を介してチャネル１２内の駆動電極１３に印加するための電極として機能する。
【００４３】
配線電極３３の形成は、配線基板３の表面にスピンコート法によりポジレジストをコーティングし、その後、このポジレジストをストライプ状のマスクを用いて露光し、現像することにより、ストライプ状のポジレジストの間に接続電極１４と同数及び同ピッチで配線基板３の表面を露呈させ、その表面に、蒸着法やスパッタリング法等によって電極形成用の金属によって金属被膜を形成することにより行うことができる。電極形成用の金属としては、接続電極１４と同一のものを使用することができる。
【００４４】
なお、配線基板３の表面には、配線電極３３の他に、ヘッドチップ１を位置決めするための位置決め用金属薄膜パターン３４が、各配線電極３３と平行に形成されている。この位置決め用金属薄膜パターン３４は、ヘッドチップ１との接合時にはヘッドチップ１の後面とは接合せず、ヘッドチップ１のチャネル列方向に沿うＡ方向の位置決めを行う際に使用される。
【００４５】
図１中、配線基板３の表面において破線で示す領域は、ヘッドチップ１の接合領域３５であり、配線基板３の表面には、このヘッドチップ１の接合領域３５の外周縁（側壁面）に接するように、複数の樹脂の突起３６が形成されている。
【００４６】
図１では３個の樹脂の突起３６ａ、３６ｂ、３６ｃが形成されている例を示している。この３個の樹脂の突起３６ａ、３６ｂ、３６ｃは、配線基板３に接合されるヘッドチップ１の側壁面のうちの隣接する２面１Ａ、１Ｂに対応する接合領域３５の各周縁３５ａ、３５ｂの２辺に接するように配置されている。すなわち、ここでは、一方の配線電極３３が配列されている側の周縁３５ａに接する２個の樹脂の突起３６ａ、３６ｂと、位置決め用金属薄膜パターン３４が形成されている側の周縁３５ｂに接する樹脂の突起３６ｃとを有している。少なくとも３個の樹脂の突起３６ａ、３６ｂ、３６ｃがこのように配置されていれば、配線基板３の表面におけるヘッドチップ１の２次元の位置（Ａ方向とＢ方向の位置）を確実に決めることができる。
【００４７】
配線電極３３が配列されている側に設けられている２つの樹脂の突起３６ａ、３６ｂは、配線電極３３上に形成されている。また、位置決め用金属薄膜パターン３４が形成されている側に設けられている１つの樹脂の突起３６ｃは、その位置決め用金属薄膜パターン３４の上に形成されている。
【００４８】
これら配線電極３３及び位置決め用金属薄膜パターン３４の上に形成される各樹脂の突起３６の断面形状は特に問わず、台形状、四角形状、半球状等とすることができる。本明細書では半球状とした樹脂の突起３６を図示している。
【００４９】
このような樹脂の突起３６は、ＵＶ硬化樹脂を用いて形成することが好ましい。配線電極３３又は位置決め用金属薄膜パターン３４上に所定厚さ（例えば３０〜７０μｍ厚）のＵＶ硬化樹脂の塗布液を印刷等によって設け、その直後、ＵＶ（紫外線）光を照射ことによって瞬時に硬化させることにより、液滴が濡れ広がることなく正確な位置精度で、半球状の樹脂の突起３６を形成することができる。
【００５０】
ＵＶ硬化樹脂の塗布液の印刷は、インクジェット塗布することによって行うことも好ましく、より正確な位置精度で樹脂の突起を形成することができる。ＵＶ硬化樹脂の塗布液は、例えば、なくともカチオン重合性化合物及びカチオン重合開始剤を含有するカチオン重合性組成物を用いることができる。カチオン重合性組成物は、紫外線の照射により重合反応を開始させて硬化させることができる。
【００５１】
図３は、図１中の（iii）−（iii）線に沿う断面図であり、同図に示すように、このような樹脂の突起３６の配線電極３３表面からの突出高さｈ及び幅は、ヘッドチップ１を突き当てる際の突き当たり具合を勘案して適宜決められる。
【００５２】
このような配線基板３の表面にヘッドチップ１を接合する際、予め接合領域３５に異方性導電接着剤を塗布した後、図４（ａ）に示すように、配線基板３の表面にヘッドチップ１の後面を載置し、まず、配線電極３３上に形成されている２個の樹脂の突起３６ａ、３６ｂに向けて、ヘッドチップ１の側壁面１Ａを配線基板３の表面に対して平行に移動させて押し付け、ヘッドチップ１を樹脂の突起３６ａ、３６ｂに突き当てる。
【００５３】
次いで、図４（ｂ）に示すように、この配線電極３３上の２個の樹脂の突起３６ａ、３６ｂに突き当てた状態のヘッドチップ１の側壁面１Ｂを、位置決め用金属薄膜パターン３４上に形成されている樹脂の突起３６ｃに向けて、配線基板３の表面に対して平行に移動させて押し付け、ヘッドチップ１を残りの１個の樹脂の突起３６ｃに突き当てる。これによって、図５に示すように、ヘッドチップ１は配線基板３の表面に対する２次元の位置が所定位置に位置決めされて接合される。従って、完成されたインクジェットヘッドは、複数の樹脂の突起３６によってヘッドチップ１の側壁面が位置決めされているため、配線基板３に対するヘッドチップ１の位置精度が高く確保される。
【００５４】
このように、配線基板３の表面に対するヘッドチップ１の位置決めは、配線基板３の表面に形成された樹脂の突起３６へのヘッドチップ１の突き当てによって行うので、従来のように顕微鏡観察によって行う場合のように、位置決めのために複数の点を観察する必要はなく、また、位置決めのためのＸＹθの調整が不要となり、位置決め作業が簡単且つ確実に短時間で行えるようになる。また、位置決めされたヘッドチップ１は、複数の樹脂の突起３６によって周囲が支えられるようになるため、ハンドリング時において位置ずれを起こす心配も少ない。
【００５５】
また、樹脂の突起３６を絶縁性の樹脂によって形成した場合には、接合時の位置ズレによる電極同士のショートに対する許容値を低下させることがない。
【００５６】
以上の態様では、樹脂の突起３６は３個を例示したが、３個以上であってもよい。また、樹脂の突起３６は、一方に配列されている配線電極３３側だけでなく、他方に配列されている配線電極３３側にも同様に形成するようにしてもよい。
【００５７】
更に、樹脂の突起３６は配線電極３３上にそれぞれ形成するようにしてもよい。このとき、一方に配列されている配線電極３３のみではなく、図６に示すように、全ての配線電極３３上に形成することも好ましい。このように樹脂の突起３６を全ての配線電極３３上に形成した場合は、ヘッドチップ１の各接続電極１４と配線電極３３との間に塗布された接着剤の外部への流れ出しに対して、この樹脂の突起３６が抵抗となって遮る壁として働くため、３つの突起３６を設ける場合に比べて、ヘッドチップ１と配線基板３とをより確実に接合することができる。
【００５８】
この場合、樹脂の突起３６が半球状であると、図６に示すようにヘッドチップ１を配線電極３３上にそれぞれ配列されている突起列の間に載置する際、樹脂の突起３６の表面を案内面として、ヘッドチップ１を樹脂の突起３６の基部の接合領域３５に円滑に案内することができる。
【００５９】
また、樹脂の突起３６を導電性の樹脂によって形成した場合には、図７に示すように、突起３６の基部表面にヘッドチップ１の後面に形成された接続電極１４の端面１４ａが突き当たるようになるため、この接続電極１４と配線電極３３との電気的接続の確実性が増す効果も得られる。
【００６０】
図８は、配線基板３の更に他の態様を示している。この態様では、配線電極３３側の突起３６は、配線電極３３の上ではなく、隣接する配線電極３３の間に配置されている。この態様は、配線電極３３の配列ピッチが大きく、隣接する配線電極３３間のスペースが十分に広い場合に特に有効である。ここでは、各配線電極３３の間に配置されているが、位置決め用金属薄膜パターン３４上に形成されている樹脂の突起３６を含めて少なくとも３個形成されていればよい。
【００６１】
図８のように樹脂の突起３６を各配線電極３３の間に配置する場合は、ヘッドチップ１と配線基板３との間に塗布された接着剤が、各樹脂の突起３６が隣接する配線基板３３間の隙間から外部に流れ出そうとする際の堰として機能するため、３つの樹脂の突起３６を設ける場合に比べて、ヘッドチップ１と配線基板３とをより確実に接合することができ、ヘッドチップ１と配線基板３との間の接着剤による封止を確実にすることができて、インク漏れの発生のおそれもなくなる。
【００６２】
また、樹脂の突起３６を半球状とすれば、上述の場合と同様、樹脂の突起３６の表面を案内面として、ヘッドチップ１を樹脂の突起３６の基部の接合領域３５に円滑に案内することができる。
【００６３】
このように樹脂の突起３６を隣接する配線電極３３の間に配置する場合、樹脂の突起３６の高さ及び幅は、配線電極３３の配列ピッチとヘッドチップ１を突き当てる際の突き当たり具合を勘案して適宜決められる。また、接合時の位置ズレによる、隣接する配線電極３３同士のショートを防止するため、樹脂の突起３６は絶縁性の樹脂であることが好ましい。また、樹脂の突起３６が絶縁性の樹脂である場合、ヘッドチップ１と配線基板３との間に塗布された接着剤が、各樹脂の突起３６が隣接する配線基板３３間の隙間から外部に流れ出そうとする際の堰として機能をより高めるため、駆動電極３３間にそれぞれ電極に接触するように形成することも好ましい。
【００６４】
図９は、インクジェットヘッドの他の態様を示している。この態様の配線基板３では、１個の凹形状の樹脂の突起３６ｄが、同様な凹形状の位置決め用金属薄膜パターン３７の上に形成されている。配線基板３の表面に、配線電極３３が形成され、位置決め用金属薄膜パターン３４の代わりに、接合領域３５の外周縁に沿うように位置決め用金属薄膜パターン３７を形成し、この位置決め用金属薄膜パターン３７の上に樹脂の突起３６ｄを形成している。
【００６５】
このような位置決め用金属薄膜パターン３７の形成は、マスクを用いて金属被膜を選択的に形成することによって、配線基板３に配線電極３３を形成するのと同一工程で行うことが好ましい。
【００６６】
例えば、開口部３２が形成された配線基板３の表面に、配線電極３３及び位置決め用金属薄膜パターン３７の配列パターンと同一パターンの開口を有するマスクを設ける。マスクには、電極形成時に通常使用されるマスクを用いることができ、例えばメタルマスク等が挙げられる。
【００６７】
配線基板３の表面にこのマスクを設けた後、その表面から例えばＮｉ、Ａｌ、Ａｕ等の電極形成用金属を、例えば蒸着法やスパッタリング法等によって適用し、マスクのない開口内のみに選択的に金属被膜を形成する。その後、マスクを除去することで、配線基板３の表面に、金属被膜の厚みに相当する同一高さ（厚み）の凸状の配線電極３３と位置決め用金属薄膜パターン３７とを同時に形成することができる。しかも、この工程は、通常の配線電極３３の形成工程そのままであるため、単にマスクに形成する開口の配列パターンを位置決め用金属薄膜パターン３７に合わせて若干追加変更するだけで済み、工数の増加もなく位置決め用金属薄膜パターン３７を高い位置精度で簡単に形成することができる。
【００６８】
マスクを用いて位置決め用金属薄膜パターン３７を配線電極３３と同一工程で形成するには、この他、通常の電極形成に使用されるマスクを用いることもできる。例えば、配線基板３の表面にドライフィルムを貼着又はレジストを塗布し、それをガラスマスクを用いて露光、現像することにより、ネガ方式又はポジ方式によりパターニングし、蒸着法やスパッタリング法等によって選択的に金属被膜を形成した後、ドライフィルム又はレジストを除去することにより、配線電極３３と位置決め用金属薄膜パターン３７とを同時に形成する方法でもよい。
【００６９】
また、配線基板３の表面全面に金属被膜を形成した後、ドライフィルムを貼着又はレジストを塗布し、露光、現像してエッチング液に浸漬することによってパターニングし、配線電極３３と位置決め用金属薄膜パターン３７とを同時に形成する方法でもよい。
【００７０】
更に、予め配線電極３３と位置決め用金属薄膜パターン３７の形成パターンを有する微小なメッシュ状のスクリーンマスクを用い、導電ペーストをスクリーンマスク上から適用してメッシュ状の穴を通して導電ペーストをスクリーン印刷し、加熱又は焼成して硬化させることによって配線電極３３と位置決め用金属薄膜パターン３７とを同時に形成する方法でもよい。
【００７１】
樹脂の突起３６ｄは、感光性樹脂のパターニングにより形成することが好ましい。高い位置精度で樹脂の突起３６ｄを形成できる。また配線基板３としてパイレックス（登録商標）ガラス基板またはテンパックスガラス基板を用いて、樹脂の突起３６ｄを位置決め用金属薄膜パターン３７をマスクとしたセルフアライメント法により形成することも好ましい。例えば、配線基板３に配線電極３３と突起形成用のパターンとしての位置決め用金属薄膜パターン３７とを同時に形成しておき、ポジ型のドライフィルムを配線基板の位置決め用金属薄膜パターン３７の上から少なくとも配線電極３３の部分を除く領域に貼り付けた後、ドライフィルムを貼り付けた面の反対側から、位置決め用金属薄膜パターン３７をセルフマスクとして露光したのち、現像すればよい。
【００７２】
ポジ型のドライフィルムを使用して、ドライフィルムを貼り付けた面の反対側から位置決め用金属薄膜パターン３７をセルフマスクとして紫外線を照射して現像すると、位置決め用金属薄膜パターン３７以外の露光部のドライフィルムが溶解して、位置決め用金属薄膜パターン３７の上に樹脂の突起３６ｄが形成される。露光用のガラスマスクが不要になり、高い位置精度で、かつ、低コストで樹脂の突起３６ｄを形成できる。
【００７３】
また、ネガ型のドライフィルムを使用してもよい。図９において突起３６ｄの形状を反転させた（突起３６ｄが形成されている領域を除いてその周辺）領域に位置決め用金属薄膜パターンを設け、位置決め用金属薄膜パターンより狭い領域にネガ型のドライフィルムを貼り付け、貼り付けた面の反対側から位置決め用金属薄膜パターンをセルフマスクとして紫外線を照射して現像すると、位置決め用金属薄膜パターンが形成された領域以外の突起３６ｄの形状に対応した露光部のドライフィルムが硬化して残り、配線基板３の上に樹脂の突起３６ｄが形成される。同様に露光用のガラスマスクが不要になり、高い位置精度で、かつ、低コストで樹脂の突起３６ｄを形成できる。
【００７４】
また、ドライフィルムの代わりにレジストを塗布しても良いが、開口部３２への塗布液の流れ出し等を考慮してドライフィルムが好ましい。
【００７５】
最小数である１個の凹形状の樹脂の突起３６ｄは、配線基板３に接合されるヘッドチップ１の側壁面のうちの対向する２つの１Ａ面と１つの１Ｂ面に対応する接合領域３５の各周縁３５ａ、３５ｂの３辺に接するように配置されている。１個の樹脂の突起３６ｄがこのように配置されていれば、樹脂の突起３６ｄの凹部とヘッドチップ１の側壁面が当接して嵌合するので、配線基板３の表面におけるヘッドチップ１の２次元の位置（Ａ方向とＢ方向の位置）を確実に決めることができる。
【００７６】
位置決め用金属薄膜パターン３７および樹脂の突起３６ｄは、ヘッドチップ１の一端の側壁面に対応する位置に形成されているが、ヘッドチップ１の他端の側壁面に対応する位置に形成されていることも好ましい。位置精度をより高めることができる。
【００７７】
図１０は、インクジェットヘッドの更に他の態様を示している。この態様の配線基板３では、２個の樹脂の突起３６ｅが形成されている。この樹脂の突起３６ｅは前述の樹脂の突起３６ｄと同様な方法で形成できる。また、ヘッドチップ１は、側壁面の一部に形成され、樹脂の突起３６ｅに当接して勘合する２つのダミーチャネルの凹部１２Ｄを有している。このようなヘッドチップ１は、前述のように、チャネル１２となる溝１２’とダミーチャネル１２Ｄとなる溝１２Ｄ’とを同時に形成したのち、ダミーチャネルとなる溝１２Ｄ’の部分で切断し、ダミーチャネル１２Ｄのチャネル内面を露出させることにより形成する。
【００７８】
樹脂の突起３６ｅは、配線基板３に接合されるヘッドチップ１の側壁面の一部に形成されたダミーチャネルの凹部１２Ｄに接するように配置されている。樹脂の突起３６ｅがこのように配置されていれば、樹脂の突起３６ｅの凸部とヘッドチップ１のダミーチャネルの凹部１２Ｄが当接して嵌合するので、配線基板３の表面におけるヘッドチップ１の２次元の位置（Ａ方向とＢ方向の位置）を確実に決めることができる。
【００７９】
このように、チャネルと同時に形成されたダミーチャネルを、位置あわせの基準として用いることにより、外形加工精度に依存する外形加工面を位置あわせの基準として用いる場合に比較して、より高精度で位置決めができる。
【００８０】
樹脂の突起３６ｅは、ヘッドチップ１の一端の側壁面に対応する位置に形成されているが、ヘッドチップ１の他端の側壁面に対応する位置に形成されていることも好ましい。位置精度をより高めることができる。ダミーチャネルの凹部１２Ｄについても同様にヘッドチップ１の両端の側壁面に対応する位置に設ければよい。
【００８１】
なお、以上説明したヘッドチップ１は、チャネル列が２列の場合であるが、チャネル列は１列のみであってもよく、また、３列以上の複数列であってもよい。
【図面の簡単な説明】
【００８２】
【図１】インクジェットヘッドの分解斜視図
【図２】ヘッドチップの後面を示す背面図
【図３】図１中の（iii）−（iii）線に沿う断面図
【図４】配線基板にヘッドチップを位置決めする方法を示す図
【図５】配線基板にヘッドチップが位置決めされた状態を示すインクジェットヘッドの斜視図
【図６】配線基板の他の例を示す平面図
【図７】突起にヘッドチップを突き当てた状態を示す部分拡大図
【図８】配線基板の他の例を示す平面図
【図９】インクジェットヘッドの他の例を示す分解斜視図
【図１０】インクジェットヘッドの他の例を示す分解斜視図
【図１１】ヘッドチップの製造方法を説明する図
【符号の説明】
【００８３】
１  ヘッドチップ
１Ａ、１Ｂ  側壁面
１１  駆動壁
１２  チャネル
１３  駆動電極
１４  接続電極
２  ノズルプレート
２１  ノズル
３  配線基板
３１  配線接続部
３２  開口部
３３  配線電極
３４、３７  位置決め用金属薄膜パターン
３５  接合領域
３５ａ、３５ｂ  周縁
３６  突起
【図１】
2008162110.tif 000003
【図２】
2008162110.tif 000004
【図３】
2008162110.tif 000005
【図４】
2008162110.tif 000006
【図５】
2008162110.tif 000007
【図６】
2008162110.tif 000008
【図７】
2008162110.tif 000009
【図８】
2008162110.tif 000010
【図９】
2008162110.tif 000011
【図１０】
2008162110.tif 000012
【図１１】
2008162110.tif 000013